(57)【要約】      （修正有）【課題】歯や口腔内を確実に綺麗に磨く事により口臭の予防になるデンタルペーパー状シーツハブラシを提供する。【解決手段】デンタルペ−パ−、ハブラシはシ−ツ１の表面２と裏面２′に薬用洗口剤や歯磨き粉３が染み込ませてあり、人差し指の指先に巻き付けて歯や口腔内を擦り磨くようにしたものである、【選択図】図２
0003127903.tif 000002
【実用新案登録請求の範囲】
【請求項１】
ペ−パ−状のシ−ツ本体（１）のシ−ツの表面（２）と裏面（２′）に薬用洗口剤、歯磨き粉（３）を染み込ませて置き、指先に搦め手、口の中と歯を、擦り磨く構造に作成した。
デンタル、ペ−パ−、シ−ツ、ハブラシ、
【考案の詳細な説明】
【技術分野】
【０００１】本考案はデンタルペ−パ−シ−ツ、ハブラシのシ−ツ（１）の表面（２）裏面（２′）に、薬用洗口剤や歯磨き粉（３）を染み込ませて置き、口腔内や歯の隅々まで磨く事が出来る様にしたものである
【背景技術】
【０００２】従来はペ−パ−に薬用洗口剤や歯磨き粉を染み込ませた、シ−ツを人差し指に巻き付けて、指先を歯に搦め手、口腔内や歯を磨く、デンタルペ−パ−シ−ツ、ハブラシはありませんでした、
【考案の開示】
【考案が解決しようとする課題】
【０００３】従来、歯を磨く時は柄の先端に豚の毛やナイロンで作った、ハブラシが良く使われたが長期間使われると、ブラシの先端が丸くなり、綺麗に磨く事ができなかつた、
【課題を解決するための手段】
【０００４】本考案は、薬用洗口剤や歯磨き粉（３）をペ−パ−シ−ツ（１）に染み込ませた物を、そのまま人差し指に巻き付けるようにした。
【考案の効果】
【０００５】ペ−パ−シ−ツには薬用洗口剤や歯磨き粉が染み込ませてあり、そのまま、指先に巻き付けて口腔内や歯の表裏面を、幼児や子供達でも手間や熟練を要する事無く、容易に歯根部や歯肉部に傷をつけることなく磨く事ができる。
【考案の実施するための最良の形態】
【０００６】ペ−パ−シ−ツ（１）はガ−ゼや紙、ポリエステル不織布のような物を用い、ペ−パ−シ−ツの表裏面に薬用洗口剤や歯磨き粉が染み込ませてあり、人差し指に巻き付けて、残ったペ−パ−シ−ツは手の平に入れて握る構造になっている。使用しない時、薬用洗口剤や歯磨き粉が乾燥しない様に専用箱や袋に入っている。使用時に取り出す用にした．
【実施例】
【０００７】添付図に従って−実施例を説明する
（１）はガ−ゼや紙、ポリエステル不織布等適宣材一本化形成されたペ−パ−シ−ツ、ハブラシ
（１）は人差し指に、ペ−パ−シ−ツを巻きつけた図
（２）はペ−パ−シ−ツ表面
（２′）はペ−パ−シ−ツ裏面
（３）は薬用洗口剤、歯磨き粉
（４）（５）はペ−パ−シ−ツを箱や袋のケ−スに入っている図
【図面の簡単な説明】
【０００８】
【図１】はこの考案を施したペ−パ−シ−ツの立体図
【図２】は    ペ−パ−シ−ツの          断面図
【図３】は    ペ−パ−シ−ツを人差し指に巻きつけた実施図
【図４】は    箱入りの                  実施図
【図５】は    袋入りの                  実施図
【符号の説明】
【０００９】（１）    ペ−パ−シ−ツの本体
（２）    ペ−パ−シ−ツの表面
（２′）  ペ−パ−シ−ツの裏面
（３）    薬用洗口剤、歯磨き粉
（４）    箱
（５）    袋
【図１】
0003127903.tif 000003
【図２】
0003127903.tif 000004
【図３】
0003127903.tif 000005
【図４】
0003127903.tif 000006
【図５】
0003127903.tif 000007
【手続補正書】
【提出日】平成18年5月19日(2006.5.19)
【手続補正１】
【補正対象書類名】実用新案登録請求の範囲
【補正対象項目名】全文
【補正方法】変更
【補正の内容】
【実用新案登録請求の範囲】
【請求項１】
平行四辺形に形成したペ一パ一状のシ一ツ（１）のシ一ツの表面（２）と裏面（２′）に薬用洗口剤、歯磨き粉（３）を染み込ませて置き人指し指にシ一ツの本体を巻き付けて、口腔内や歯を擦り磨く構造に作成した。  デンタル、ペ一パ一状シ一ツハブラシ
【手続補正２】
【補正対象書類名】明細書
【補正対象項目名】全文
【補正方法】変更
【補正の内容】
【考案の詳細な説明】
【技術分野】
【０００１】本考案は平行四辺形のデンタルペ−パ−状シ−ツ、ハブラシのシ−ツ（１）の表面（２）裏面（２′）に薬用洗口剤や歯磨き粉（３）を染み込ませて、置き、口腔内や歯の隅々まで磨く事が出来る様にしたものである
【背景技術】
【０００２】従来はペ−パ−に薬用洗口剤や歯磨き粉を染み込ませた、シ−ツを人指し指に巻き付けて、指先を歯に当て擦り、口腔内や歯を磨く、デンタルペ−パ−状シ−ツ、ハブラシはありませんでした、
【考案の開示】
【考案が解決しようとする課題】
【０００３】従来、歯を磨く時は柄の先端に豚の毛やナイロンで作った、ハブラシが良く使われたが長期間使われると、ブラシの先端が丸くなり、綺麗に磨く事ができなかった、
【課題を解決するための手段】
【０００４】本考案は、薬用洗口剤や歯磨き粉（３）をペ−パ−状シ−ツ（１）に染み込ませたペ一パ一状シ一トを（１）、そのまま人指し指に巻き付けるようにして口腔内や歯を擦るようにした、
【考案の効果】
【０００５】ペ−パ−状シ−ツには薬用洗口剤や歯磨き粉が染み込ませてあり、そのまま、指先に巻き付けて口腔内や歯の表裏面を、幼児や子供達でも手間や熟練を要する事無く、容易に歯根部や歯肉部に傷をつけることなく磨く事ができる。
【考案の実施するための最良の形態】
【０００６】ペ−パ−状シ−ツ（１）はガ−ゼや紙、ポリエステル不織布のような物を用い、ペ−パ−状シ−ツの表裏面に薬用洗口剤や歯磨き粉が染み込ませてあり、人指し指に巻き付けて、残ったペ−パ−状シ−ツは手の平に入れて握る構造になっている。使用しない時、薬用洗口剤や歯磨き粉が乾燥しない様に専用箱や袋に入っている。使用時に取り出す用にした．
【実施例】
【０００７】添付図に従って−実施例を説明する
ガ−ゼや紙、ポリエステル不織布等適宣材一本化形成された人指し指に巻き付けられ口腔内や歯を磨く、ペ一パ一状シ一ツ、ハブラシである
【図面の簡単な説明】
【０００８】
【図１】はこの考案を施したペ−パ−状シ−ツの立体図
【図２】は  ペ一パ一状シ一ツの          断面図
【図３】は  ペ−パ−状シ−ツ本体（１）を人指し指に巻きつけた実施図
【図４】は  箱入りの                    実施図
【図５】は  袋入りの                    実施図
【符号の説明】
【０００９】（１）    ペ一パ一状シ一ツの本体
（２）    ペ−パ−状シ−ツの表面
（２′）  ペ−パ−状シ−ツの裏面
（３）    薬用洗口剤、歯磨き粉
（４）    箱
（５）    袋
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
平行四辺形に形成したペ一パ一状のシ一ツ（１）のシ一ツの表面（２）と裏面（２′）に薬用洗口剤、歯磨き粉（３）を染み込ませて置き人指し指にシ一ツの本体を巻きつけて、口腔内や歯を擦り磨く構造に作成した、デンタル、ペ一パ一状シ一ツハブラシ。